【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
伝熱装置であって、
水平に傾斜され且つ液体を収容する、第１の流体流れチャネルと、
前記第１の流体流れチャネルに接続され且つ液体を収容する、第２の流体流れチャネルと、
前記第１の流体流れチャネルの中の前記液体と熱的に接触する第１の表面とを含み、
前記液体よりも上の当該伝熱装置が少なくとも部分的に排気され、
前記第１の表面からの熱エネルギーが前記第１の流体流れチャネルの中の液体を蒸発させ、
前記蒸気が液体の流れを前記第２の流体流れチャネルから前記第１の流体流れチャネルに並びに前記第１の流体流れチャネルに沿って上向きに駆動するように、前記蒸気は回転沸騰を用いて前記第１の流体流れチャネルに沿って上向きに移動し、
これにより、熱エネルギーが前記第１の表面から輸送される、
伝熱装置。
【請求項２】
前記第１の流体流れチャネルが、前記第２の流体流れチャネルよりも前記第１の表面に近い、請求項１に記載の伝熱装置。
【請求項３】
前記第１の流体流れチャネルの少なくとも一部が、前記第１の表面と前記第２の流体流れチャネルとの間に位置する、請求項１又は２に記載の伝熱装置。
【請求項４】
前記第１の流体流れチャネルが、前記第１の表面と前記第２の流体流れチャネルとの間にある、請求項３に記載の伝熱装置。
【請求項５】
前記第１の流体流れチャネル及び前記第２の流体流れチャネルのそれぞれが周囲部によって境界付けられる部分を有し、前記第１の表面と熱的に接触する前記第１の流体流れチャネルの前記周囲部の一部が、前記第１の表面と熱的に接触する前記第２の流体流れチャネルの前記周囲部の一部よりも大きい、請求項１乃至４のうちのいずれか１項に記載の伝熱装置。
【請求項６】
前記第１の流体流れチャネルの断面積と前記第２の流体流れチャネルの断面積が等しい、請求項１乃至５のうちのいずれか１項に記載の伝熱装置。
【請求項７】
前記第１の流体流れチャネルが、前記第２の流体流れチャネルよりも大きい面積にわたって前記第１の表面と熱的に接触する、請求項１乃至６のうちのいずれか１項に記載の伝熱装置。
【請求項８】
前記流体流れ手段の前記第１の部分が水平に最大９０°の角度だけ傾斜される、請求項１乃至７のうちのいずれか１項に記載の伝熱装置。
【請求項９】
前記第１の表面と熱的に接触する前記第１の流体流れチャネルの少なくとも１つの表面の少なくとも一部が、蒸気泡核形成を促進するように配置された特徴を備える、請求項１乃至８のうちのいずれか１項に記載の伝熱装置。
【請求項１０】
前記第１の表面と熱的に接触する前記第１の流体流れチャネルの少なくとも１つの表面の少なくとも一部が、蒸気泡核形成を促進するように適合された表面テクスチャを有する、請求項１乃至９のうちのいずれか１項に記載の伝熱装置。
【請求項１１】
前記少なくとも１つの表面の一部が粗面化された表面テクスチャを有する、請求項１０に記載の伝熱装置。
【請求項１２】
前記粗面化された表面テクスチャがはんだ層によって提供される、請求項１１に記載の伝熱装置。
【請求項１３】
前記流体流れ手段の前記第１の部分が複数の第１の流体流れチャネルに分割される、請求項１乃至１２のうちのいずれか１項に記載の伝熱装置。
【請求項１４】
前記流体流れ手段の前記第１の部分が複数の第１の流体流れチャネルと複数の第２の流体流れチャネルとに分割される、請求項１３に記載の伝熱装置。
【請求項１５】
前記第１の流体流れチャネルの数が前記第２の流体流れチャネルの数と同じである、請求項１４に記載の伝熱装置。
【請求項１６】
前記第１の流体流れチャネル及び前記第２の流体流れチャネルが、前記第１の流体流れチャネル及び前記第２の流体流れチャネルが交互配置される状態で、並列に配置される、請求項１４又は１５に記載の伝熱装置。
【請求項１７】
前記又は各第１及び第２の流体流れチャネルが上端及び下端を有し、前記第１の流体流れチャネルの下端と前記第２の流体流れチャネルの下端が連結される、請求項１乃至１６のうちのいずれか１項に記載の伝熱装置。
【請求項１８】
前記又は各第１及び第２の流体流れチャネルが上端及び下端を有し、前記第１の流体流れチャネルの上端と前記第２の流体流れチャネルの上端が連結される、請求項１乃至１７のうちのいずれか１項に記載の伝熱装置。
【請求項１９】
前記第１の流体流れチャネルの上端と前記第２の流体流れチャネルの上端がマニホルドによって連結される、請求項１８に記載の伝熱装置。
【請求項２０】
前記第１の流体流れチャネルの上端と前記第２の流体流れチャネルの上端が蒸気マニホルドによって連結される、請求項１９に記載の伝熱装置。
【請求項２１】
請求項１乃至２０のうちのいずれか１項に記載の伝熱装置であって、第２の表面を更に含む、伝熱装置。
【請求項２２】
前記液面から前記第２の表面に移動する蒸気が前記マニホルドを通過する、請求項２０に従属するときの請求項２１に記載の伝熱装置。
【請求項２３】
前記第２の表面から前記流体流れ手段の前記第１の部分に戻る凝結した前記液体が前記マニホルドを通過する、請求項２２に記載の伝熱装置。
【請求項２４】
前記液体が水を含む、請求項１乃至２３のうちのいずれか１項に記載の伝熱装置。
【請求項２５】
前記液体がエタノールを含む、請求項１乃至２３のうちのいずれか１項に記載の伝熱装置。
【請求項２６】
前記液体が水とエタノールとの混合物を含む、請求項１乃至２５のうちのいずれか１項に記載の伝熱装置。
【請求項２７】
前記混合物が最大２５％のエタノールを含む、請求項２６に記載の伝熱装置。
【請求項２８】
凝結した前記液体が重力によって前記第２の表面から前記流体流れ手段の前記第１の部分に戻るように、前記第２の表面が前記第１の表面よりも上に位置する、請求項１乃至２７のうちのいずれか１項に記載の伝熱装置。
【請求項２９】
前記第１の表面と熱的に接触する前記第１の流体流れチャネルの表面の少なくとも一部が、窪みのある表面形状を有する、請求項１乃至２８のうちのいずれか１項に記載の伝熱装置。
【請求項３０】
前記窪みのある表面形状が、窪みの規則的な配列を含む、請求項２９に記載の伝熱装置。
【請求項３１】
前記窪みの規則的な配列が、窪みのない平坦なストリップによって分離される列をなして配置された窪みを含む、請求項３０に記載の伝熱装置。
【請求項３２】
前記第１の流体流れチャネル及び前記第２の流体流れチャネルが、離間された第１のプレート及び第２のプレート間に位置する、請求項１乃至３１のうちのいずれか１項に記載の伝熱装置。
【請求項３３】
前記第１のプレートが、前記第１の表面と熱的に接触し、前記第１の流体流れチャネル又は各第１の流体流れチャネルの表面を形成する、請求項３２に記載の伝熱装置。
【請求項３４】
第１の流体流れチャネル及び第２の流体流れチャネルが交互に配置される状態で並列に配置される、複数の第１の流体流れチャネル及び複数の第２の流体流れチャネルが存在し、各第１の流体流れチャネルが、前記第１のプレート及び前記第２のプレートの間に延在し且つこれらに取り付けられる仕切りによって、隣接する第２の流体流れチャネルから分離される、請求項３３に記載の伝熱装置。
【請求項３５】
前記第１のプレートが、窪みのない平坦なストリップによって分離される列をなして配置された窪みの規則的な配列を含む窪みのある表面形状を有し、各仕切りが、前記平坦なストリップのうちの１つに位置する位置で前記第１のプレートに取り付けられる、請求項３４に記載の伝熱装置。
【請求項３６】
前記第１のプレートと前記第２のプレートとの間に延在する各仕切りの前記部分が略平坦である、請求項３５に記載の伝熱装置。
【請求項３７】
複数の前記仕切りが第３のプレートによって形成される、請求項３５又は３６に記載の伝熱装置。
【請求項３８】
前記仕切り全体が１枚の第３のプレートによって形成される、請求項３７に記載の伝熱装置。
【請求項３９】
前記第３のプレートが波形である、請求項３７又は３８に記載の伝熱装置。
【請求項４０】
前記プレートのそれぞれが金属又は金属合金材料を含む、請求項３２乃至３９のうちのいずれか１項に記載の伝熱装置。
【請求項４１】
前記プレートのそれぞれが軟鋼を含む、請求項４０に記載の伝熱装置。
【請求項４２】
前記プレートのそれぞれが錫で被覆された軟鋼を含む、請求項４１に記載の伝熱装置。
【請求項４３】
前記プレートが、はんだ付け、スポット溶接、ローラ溶接、及び接着剤のうちの少なくとも１つを含む結合技術によって連結される、請求項３２乃至３９のうちのいずれか１項に記載の伝熱装置。
【請求項４４】
前記プレートが、はんだ接合によって連結され、各第１の流体流れチャネルの表面を形成する前記第１のプレートの少なくとも一部がはんだで被覆される、請求項４３に記載の伝熱装置。
【請求項４５】
当該伝熱装置が実質的に剛性の伝熱構造を含む、請求項１乃至４４のうちのいずれか１項に記載の伝熱装置。
【請求項４６】
前記液面よりも上の前記流体流れ手段の前記部分が４０ｍｂａｒ以下の圧力である、請求項１乃至４５のうちのいずれか１項に記載の伝熱装置。
【請求項４７】
前記液面よりも上の前記流体流れ手段の前記部分が２ｍｂａｒ以下の圧力である、請求項４６に記載の伝熱装置。
【請求項４８】
前記液面よりも上の前記流体流れ手段の前記部分が１ｍｂａｒ以下の圧力である、請求項４７に記載の伝熱装置。
【請求項４９】
前記液面よりも上の前記流体流れ手段の前記部分が１０−２ｍｂａｒ以下の圧力である、請求項４８に記載の伝熱装置。
【請求項５０】
前記液面よりも上の前記流体流れ手段の前記部分が１０−３ｍｂａｒ以下の圧力である、請求項４９に記載の伝熱装置。
【請求項５１】
前記液面よりも上の前記流体流れ手段の前記部分が１０−６ｍｂａｒ以下の圧力である、請求項５０に記載の伝熱装置。